(57)【要約】【課題】陳列の後端を、支持ピン等を用いることなく、支柱の前面に取付けた支持部材に、極めて簡単にかつ回動自在に支持することにより、陳列板の傾斜角度を簡単に調節したり、着脱や交換作業等を容易に行いうるようにする。【解決手段】左右の支柱の前面に穿設した上下複数の係合孔に、上端が開口された斜め前下方を向く凹溝２７を上部に有する左右１対の支持金具２５を、それらの後端部に連設された下向鉤状の複数の係合爪２６を係合させることにより取付け、両支持金具２５の凹溝２７に、前部が他の支持手段により支持された陳列棚の側杆１０における後端部下面の左右両側部に設けた左右方向を向く枢支杆１２を、後上方に向かって挿脱可能かつ回動自在に嵌合する。【選択図】        図５
2004337283.tif 000002
【特許請求の範囲】
【請求項１】
左右の支柱の前面に穿設した上下複数の係合孔に、上端が開口された斜め前下方を向く凹溝を上部に有する左右１対の支持部材を、それらの後端部に連設された下向鉤状の複数の係合爪を係合させることにより取付け、前記両支持部材の凹溝に、前部が他の支持手段により支持された陳列棚における後端部下面の左右両側部に設けた左右方向を向く枢支杆を、後上方に向かって挿脱可能かつ回動自在に嵌合したことを特徴とする陳列棚後端の支柱への支持構造。
【請求項２】
枢支杆を円形断面とするとともに、凹溝の下端を、枢支杆の外周面のほぼ前半部が嵌合しうるように、該枢支杆の外径とほぼ等しい内径の半円形とし、かつその上端の開口縁より上方を開放してなる請求項１記載の陳列棚後端の支柱への支持構造。
【請求項３】
半円形とした開口部の開口幅を、枢支杆の外径より僅かに小とした請求項２記載の陳列棚後端の支柱への支持構造。
【請求項４】
支持部材における最下部の係合爪の上端から下端までの長さを、支柱の係合孔の上下寸法より大とした請求項１〜３のいずれかに記載の陳列棚後端の支柱への支持構造。
【発明の詳細な説明】
【０００１】
【発明の属する技術分野】
本発明は、陳列棚の後端を、支柱に、容易かつ回動可能に支持する支持構造に関する。
【０００２】
【従来の技術】
陳列棚を下向きに傾斜させ、その上面に、商品を客が見易いように陳列する際などには、左右の支柱に、陳列棚の後端を回動可能に支持するのが一般的である。
【０００３】
このように、陳列棚の後端を支柱に回動可能に支持する従来の支柱構造としては、例えば特許文献１に記載されているように、左右の支柱の前面に列設された係止孔に、取付板の後端のフックを係合し、両取付板に、棚板を載置した左右１対のブラケットの後端を、支持ピンにより回動可能に枢着するとともに、係合ピンを取付板に設けた複数の係合凹部に係脱することにより、棚板の傾斜角度を調節しうるようにしたものがある。
【０００４】
【特許文献１】
特許第３３０９７１４号公報
【発明が解決しようとする課題】
上記特許文献１に記載された陳列棚の後端の支持構造では、棚板を載置している左右のブラケットが、支持ピンにより支持板に回動可能に枢着されているため、取付板に対するブラケットの取付けや取外しが面倒であり、ブラケットの大きさを変えて大きさの異なる棚板に交換する際などの作業を簡単に行えない問題がある。
【０００５】
また、支柱の係止孔に係合される取付板のフックの上下寸法や形状も、通常用いられている一般的なもので、係止孔への係合深さが比較的浅いため、地震等により強い上向きの力が加わると、フックが係止孔より離脱し、取付板が支柱より外れて落下する恐れがある。
【０００６】
本発明は、上記問題点に鑑みてなされたもので、陳列棚の後端を、支持ピン等を用いることなく、支柱の前面に取付けた支持部材に、極めて簡単にかつ回動自在に支持することにより、陳列棚の傾斜角度を簡単に調節したり、着脱や交換作業等を容易に行いうるとともに、支持部材が支柱の前面より簡単に脱落するのを防止しうるようにした、陳列棚後端の支柱への支持構造を提供することを目的としている。
【０００７】
【課題を解決するための手段】
本発明によると、上記課題は、次のようにして解決される。
（１）左右の支柱の前面に穿設した上下複数の係合孔に、上端が開口された斜め前下方を向く凹溝を上部に有する左右１対の支持部材を、それらの後端部に連設された下向鉤状の複数の係合爪を係合させることにより取付け、前記両支持部材の凹溝に、前部が他の支持手段により支持された陳列棚における後端部下面の左右両側部に設けた左右方向を向く枢支杆を、後上方に向かって挿脱可能かつ回動自在に嵌合する。
【０００８】
（２）上記（１）項において、枢支杆を円形断面とするとともに、凹溝の下端を、枢支杆の外周面のほぼ前半部が嵌合しうるように、該枢支杆の外径とほぼ等しい内径の半円形とし、かつその上端の開口縁より上方を開放する。
【０００９】
（３）上記（２）項において、半円形とした開口部の開口幅を、枢支杆の外径より僅かに小とする。
【００１０】
（４）上記（１）〜（３）項のいずれかにおいて、支持部材における最下部の係合爪の上端から下端までの長さを、支柱の係合孔の上下寸法より大とする。
【００１１】
【発明の実施の形態】
以下、本発明の実施形態を、図面に基づいて説明する。
図１は、本発明を適用した商品陳列台の斜視図、図２は、商品陳列棚を構成する部材の分解斜視図である。
【００１２】
商品陳列台（１）は、左右１対の支柱（２）（２）と、両支柱（２）の下端の前面（以下、図１の斜め右下方を前として説明する）に前向きとして固着された左右１対のベース脚（３）（３）と、両ベース脚（３）の前端に上向きに固着された、支柱（２）よりも短寸の補助支柱（４）（４）とを備えている。
【００１３】
両支柱（２）の上下の対向面は、横杆（５）（５）により連結され、それらと、左右の支柱（２）とにより囲まれた空間内には、後面板（６）が嵌め込まれている。
両支柱（２）の下端と両ベース脚（３）の前端の下面には、キャスタ（７）が取付けられている。
【００１４】
各支柱（２）は、角筒状をなし、その前面には、上下方向を向く左右２列のスリット状の係合孔（８）が、等間隔おきに多数列設されている。
【００１５】
両支柱（２）の前面と左右の補助支柱（４）の上端との間には、前後寸法がそれらの離間寸法よりも長寸をなし、かつ左右寸法を両支柱（２）の側面間の寸法よりやや小とした商品陳列棚、すなわち後記する陳列板（１５）と、それが載置される支持フレーム（９）とが、傾斜角度を調節可能として支持されている。
【００１６】
支持フレーム（９）は、図２に示すように、正面視下向きコ字状をなす左右１対の前後方向を向く側杆（１０）（１０）と、それらの対向面のほぼ下半部同士を連結している左右方向を向く複数（４本）の側面視下向コ字状をなす横連結杆（１１）と、両側杆（１０）（１０）の後端部間に、側杆（１０）の両側片（１０ａ）を貫通するように結合された丸棒状の枢支杆（１２）とからなり、上記側杆（１０）の上面の外側端寄りには、図示しないストッパ板等のオプション部材の係合爪を係合するための係合孔（１３）が、前後方向を向いて多数列設されている。
【００１７】
上記複数の横連結杆（１１）のうち、最前部に位置する横連結杆（１１）は、その前面と両側杆（１０）の前端同士がほぼ同一面に整合するように結合され、かつその後部側の下向片（１１ａ）（図３参照）の左右両側部には、左右方向を向くスリット状の挿通孔（１４）（１４）が穿設されている。
【００１８】
（１５）は、方形平板状の商品の陳列板で、その前後寸法は、支持フレーム（９）の前後寸法とほぼ等長をなし、かつ左右寸法は、両側杆（１０）の対向面間において、各横連結杆（１１）の上面に載置可能な寸法とされ、さらに厚さは、横連結杆（１１）に載置したとき、陳列板（１５）の上面が側杆（１０）の上面とほぼ同一面に整合する寸法とされている。
【００１９】
陳列板（１５）の前端部下面の左右両側部には、図３にも示すように、水平をなす基片（１６ａ）の前端に、上記横連結杆（１１）の挿通孔（１４）に嵌合可能な側面視Ｌ字状の係合片（１６ｂ）を前向きに突設してなる取付金具（１６）（１６）が、基片（１６ａ）を下方よりねじ（１７）止めすることにより固定されている。
【００２０】
また、陳列板（１５）の後端部下面の左右両側部には、図４に示すように、側面視ほぼ前向コ字状をなす停止金具（１８）（１８）が、下方よりねじ（１７）により固定されている。
【００２１】
両停止金具（１８）の後面は、上記両取付金具（１６）の係合片（１６ｂ）を、後記する前面板（２０）の取付部材（２３）を介して横連結杆（１１）の挿通孔（１４）に係合させた際、最後部の横連結杆（１１）の前面と近接または当接し、陳列板（１５）が後方へ移動するのを阻止するようになっている。
【００２２】
（１９）は、支持フレーム（９）の前端に上向きとして取付けられる前面板で、金属製の基材パネル（２０）と、その前面に複数のねじ（２１）により固定される、商品名等を表示可能な化粧パネル（２２）とからなっている。
【００２３】
基材パネル（２０）の後面には、図３に示すように、上下方向を向く基片（２３ａ）と、その下端に連設された、上記最前部の横連結杆（１１）の上面に当接可能な後向片（２３ｂ）と、その後端に連設され、最前部の横連結杆（１１）の後面に当接可能な垂下片（２３ｃ）とからなる取付部材（２３）が、基片（２３ａ）を基材パネル（２０）の後面に溶接することにより固定されている。
【００２４】
取付部材（２３）の固定後において、後向片（２３ｂ）と垂下片（２３ｃ）、及び基材パネル（２０）の下端部により、最前部の横連結杆（１１）に上方よりがたなく挿脱しうる嵌合凹部（Ｓ）が形成されるようになっている。
【００２５】
上記下向片（２３ｃ）の左右両側部には、上記各取付金具（１６）の係合片（１６ｂ）の先端部が嵌合可能なスリット状の挿通孔（２４）が穿設されている。
【００２６】
前面板（１９）を支持フレーム（９）の前端に取付けるには、図３に示すように、取付部材（２３）の後向片（２３ｂ）と垂下片（２３ｃ）、及び基材パネル（２０）の下端部を、最前部の横連結杆（１１）に上方より嵌合したのち、陳列板（１５）を、後向片（２３ｂ）の上面と、支持フレーム（９）における最前部の横連結杆（１１）を除いた各横連結杆（１１）の上面とに載置するのと同時に、陳列板（１５）の前端部下面の両取付金具（１６）の係合片（１６ｂ）を、垂下片（２３ｃ）の挿通孔（２４）と、最前部の横連結杆（１１）における後部側の下向片（１１ａ）の挿通孔（１４）とに、後方より嵌合し、陳列板（１５）の前端を取付部材（２３）の基片（２３ａ）の後面に当接させる。
【００２７】
これにより、陳列板（１５）は、その後端部下面に固定した停止金具（１８）の後面が、図４に示すように、最後部の横連結杆（１１）の前面に近接または当接するようにして載置され、後方への移動が阻止される。
【００２８】
その結果、前面板（１９）は、支持フレーム（９）の前端に、前後左右及び上下方向に移動するのが防止されて安定的に取付けられる。
【００２９】
なお、前面板（１９）が不要なときには、上記手順の反対の作業を行うことにより、簡単に取外すことができる。
【００３０】
前面板（１９）を取外す際には、取付金具（１６）におけるねじ（１７）の挿通孔を長孔とするなどして、その取付位置を前方にずらし、最前部の横連結杆（１１）の後面と取付金具（１６）の係合片（１６ｂ）の基端面との間に形成される隙間をなくすようにするのがよい。
【００３１】
また、陳列板（１５）の前端部が最前部の横連結杆（１１）の上面に載置しうるように、係合孔（１４）の上下寸法を大としておくのがよい。
【００３２】
次に、支持フレーム（９）を、支柱（２）及び補助支柱（４）に取付ける際の要領について説明する。
【００３３】
図５において、（２５）は、支持フレーム（９）の後端を支柱（２）の前面に支持するための垂直平板状の支持金具で、その後端面には、上記各支柱（２）の内側の列の係合孔（８）に選択的に係合可能な下向鉤状の３個の係合爪（２６）が、等間隔おきに突設されている。
【００３４】
最下段の係合爪（２６）の上下寸法は、係合孔（８）より外れにくくするために、支柱（２）の係合孔（８）の上下寸法より大とされ、その寸法は、上位の各係合爪（２６）の上下寸法のほぼ２倍の長さとしてある。
支持金具（２５）の上部には、上方が幅広に開口され、かつ下端部に、上記枢支杆（１２）の外周面の前半部が嵌合可能な斜め前下方に向かって凹入するほぼ半円状の支持溝（２７ａ）を有する凹溝（２７）が形成されている。
【００３５】
凹溝（２７）の後面は、斜め後ろ上方にぼ４５°に傾斜するとともに、下端が支持溝（２７ａ）の接線と連続する傾斜ガイド面（２８）となっている。
【００３６】
図６に示すように、支持溝（２７ａ）の内径（Ｄ１）は、枢支杆（１２）の直径（Ｄ２）とほぼ等しく、かつ開口幅（Ｗ）は、支持溝（２７ａ）の上端縁を、その内径と同一曲率で若干延長することにより、枢支杆（１２）の直径（Ｄ２）よりも僅かに小としてある。
【００３７】
上記支持溝（２７ａ）に、支持フレーム（９）における側杆（１０）の両側片（１０ａ）を貫通している枢支杆（１２）を、強く押し込むようにして嵌合することにより、枢支杆（１２）は、支持溝（２７ａ）より斜め上方に簡単に抜け外れるのが防止されて、回動自在に支持される。
【００３８】
従って、支持フレーム（９）の後端を両支柱（２）により支持するには、各支柱（２）の等高をなす係合孔（８）の所望の位置に、支持金具（２５）（２５）を取付けたのち、両支持金具（２５）の支持溝（２７ａ）に、左右の側杆（１０）の側片（１０ａ）を貫通している枢支杆（１２）を嵌合すればよい。
【００３９】
この際、支持金具（２５）の凹溝（２７）の上方は大きく開口され、かつその後面には傾斜ガイド面（２８）が形成されているため、枢支杆（１２）を支持溝（２７ａ）に容易に滑り込ませて嵌合することができる。
【００４０】
また、支持溝（２７ａ）は、斜め前下方を向いており、それに嵌合された枢支杆（１２）の上面には、支持溝（２７ａ）の上部の開口縁が当接しているため、枢支杆（１２）が真上に移動することはない。従って地震等の振動により、支持フレーム（９）が、はね上がっても、枢支杆（１２）が支持溝（２７ａ）より簡単に外れる恐れはない。
【００４１】
支持フレーム（９）の前端は、左右１対の補助支柱（４）（４）により、次のようにして支持されている。
【００４２】
図７に示すように、両補助支柱（４）は、平面視後向きコ字状をなすチャンネル材よりなり、その前面の上端部には、上端が開口するスリット状の切欠き溝（２９）が設けられている。
【００４３】
左右の補助支柱（４）の切欠き溝（２９）に、支持フレーム（９）における両側片（１０）の外方の下向片（１０ａ）を、上方より嵌合することにより、支持フレーム（９）の前端が１対の補助支柱（４）により支持される（図１参照）。
【００４４】
陳列板（１５）の傾斜角度を変えるには、両支持金具（２５）の支柱（２）への取付位置を上下にずらし、支持フレーム（９）の後端の支持高さを変えればよい。
【００４５】
図１に示すように、支柱（２）と補助支柱（４）の両側面に、側面板（３０）（一方は図示略）を取付け、その陳列板（１５）より突出する部分を、陳列板（１５）の側板とすれば、陳列商品が側方より滑落するのを防止することができる。
【００４６】
本発明は、上記実施形態に限定されるものではない。
上記実施形態では、支持フレーム（９）の後端を支持する枢支杆（１２）を長寸のものを用いているが、左右の側杆（１０）の両側片（１０ａ）のみを挿通する短寸のものを用いてもよい。
【００４７】
支持金具（２５）の凹溝（２７）は、図８に示すように、下端が枢支杆（１２）の外径と同径もしくは若干大径の半円弧状をなす斜め前下方にほぼ４５°傾斜させたものとしてもよい。
【００４８】
このようにしても、上端の開口部の前後寸法は、枢支杆（１２）の外径よりも大とるので、凹溝（２７）の傾斜ガイド面（２８）に沿って枢支杆（１２）を容易に嵌合することができるとともに、振動等により枢支杆（１２）が真上に移動するのが防止される。なお、枢支杆（１２）の上方への移動を規制するために、凹溝（２７）の上部側（下部側でもよい）の内面に、２点鎖線のような突部（３１）を形成してもよい。
【００４９】
上記実施形態では、陳列棚を、支持フレーム（９）と陳列板（１５）よりなるものとしたが、支持フレーム（９）のない、陳列板（１５）のみの商品陳列台にも適用しうる。
【００５０】
この際は、陳列板（１５）の後端部下面に、正面視コ字状の左右１対の取付金具を取付け、その両下向片間に、支持金具（２５）の凹溝（２７）に嵌合可能な枢支ピンを貫設するなどすればよい。
【００５１】
【発明の効果】
請求項１記載の発明によれば、陳列棚は、その後端の枢支杆を支持部材の凹溝に上方より嵌合するだけの簡単な作業で、支柱の前面に回動自在に支持されるため、陳列棚の傾斜角度の調節や着脱作業を極めて容易に行うことができる。
また、凹溝は斜め前下方を向いているため、陳列棚に上向きの力が加わっても、枢支杆が真上に移動して陳列棚が簡単に凹溝より外れる恐れはない。
【００５２】
請求項２記載の発明によれば、枢支杆が凹溝の下端において円滑に回動しうるとともに、凹溝の上方が大きく開放されているので、枢支杆を容易に嵌合することができる。
【００５３】
請求項３記載の発明によれば、枢支杆の嵌合時に、半円形の凹溝内に強く押し込むことにより、枢支杆が簡単に抜け外れるのが防止される。
【００５４】
請求項４記載の発明によれば、最下部の係合爪の係合孔への係合深さが大となり、支持部材が真上に移動した場合でも、それが係合孔から外れることがなく、しかも、請求項１の構成により、枢支杆が支持部材に対して真上には移動しないようになっていることとの相乗作用により、支持部材やそれに支持された陳列棚が支柱より簡単に脱落するのが防止される。
【図面の簡単な説明】
【図１】本発明を適用した商品陳列台の斜視図である。
【図２】支持フレーム、陳列板及び前面板よりなる陳列棚の分解斜視図である。
【図３】支持フレーム前端部の前面板取付部の拡大縦断側面図である。
【図４】支持フレーム後端部の停止金具取付部の拡大縦断側面図である。
【図５】支持フレームにおける側杆の後端部と、その支持金具の拡大斜視図である。
【図６】支持金具の凹溝形成部の詳細を示す側面図である。
【図７】補助支柱の上端部の斜視図である。
【図８】支持金具の他の実施形態の要部の正面図である。
【符号の説明】
（１）商品陳列台
（２）支柱
（３）ベース脚
（４）補助支柱（他の支持手段）
（５）横杆
（６）後面板
（７）キャスタ
（８）係合孔
（９）支持フレーム
（１０）側杆
（１０ａ）側片
（１１）横連結杆
（１１ａ）下向片
（１２）枢支杆
（１３）係合孔
（１４）挿通孔
（１５）陳列板
（１６）取付金具
（１６ａ）基片
（１６ｂ）係合片
（１７）ねじ
（１８）停止金具
（１９）前面板
（２０）基材パネル
（２１）ねじ
（２２）化粧パネル
（２３）取付部材
（２３ａ）基片
（２３ｂ）後向片
（２３ｃ）垂下片
（２４）挿通孔
（２５）支持金具（支持部材）
（２６）係合爪
（２７）凹溝
（２７ａ）支持溝
（２８）傾斜ガイド面
（２９）切欠き溝
（３０）側面板
（３１）突部
【図１】
2004337283.tif 000003
【図２】
2004337283.tif 000004
【図３】
2004337283.tif 000005
【図４】
2004337283.tif 000006
【図５】
2004337283.tif 000007
【図６】
2004337283.tif 000008
【図７】
2004337283.tif 000009
【図８】
2004337283.tif 000010